(57)【要約】【課題】飲料容器をその場で保冷冷却できる冷却器を提供する。【解決手段】上面に開口部を有し、水を入れることができる製氷容器１と、製氷容器１の開口部に着脱自在に取付けられる蓋１０とからなり、蓋１０には、幅方向断面が円弧状に凹んだ凹部１２が蓋の長手方向に沿って形成されている。製氷容器１に水を入れ蓋１０を落し込んで冷蔵庫等で製氷すると、内部の水が氷って氷ブロックＩＢができる。その氷ブロックＩＢの上面には円弧状凹面ａが出来るので缶ビールや瓶ビールなどの飲料容器の胴部をその凹面ａに置くと、飲料容器を冷却することができる。また、飲料容器の胴部は円筒形であり、氷ブロックＩＢの凹面ａも円弧状であるから、飲料容器を凹面ａ上で回転させることができ、まだ冷えてない面を次々と氷ブロックＩＢに接触させることができるので、手早く飲料容器を冷却したり保冷することができる。【選択図】図１
0003126338.tif 000002
【実用新案登録請求の範囲】
【請求項１】
上面に開口部を有し、水を入れることができる製氷容器と、
該製氷容器の開口部に取付けられる蓋とからなり、
前記蓋には、幅方向断面が円弧状に凹んだ凹部が蓋の長手方向に沿って形成されている
ことを特徴とする飲料容器の保冷冷却器。
【請求項２】
前記製氷容器には、該製氷容器内での氷結が底側の部分が他の部分より遅れるよう制御する形崩れ防止手段が設けられている
ことを特徴とする請求項１記載の飲料容器の保冷冷却器。
【請求項３】
前記蓋を、前記製氷容器の開口部に取付ける取付具が設けられており、
該取付具は、前記蓋の取付状態において、製氷容器内の水の氷結時の膨張に起因する蓋の上昇を許容する上昇許容手段を有している
ことを特徴とする請求項１記載の飲料容器の保冷冷却器。
【考案の詳細な説明】
【技術分野】
【０００１】
本考案は、飲料容器の保冷冷却器に関する。さらに詳しくは、ビールや清涼飲料などの缶、瓶、ペットボトルなどの容器に入れた飲料容器を、手軽に急速に冷却したり保冷するための冷却器に関する。
【背景技術】
【０００２】
ビールに代表される缶飲料や瓶飲料は、冷たいほど美味に感じられるので、通常は冷蔵庫で冷やしておいて飲むようにしている。
ところが日常生活では、いつも飲み頃の冷温に冷やされているとは限らず、例えば冷やし忘れがあったり、冷蔵庫から出しても少しぬるかったり、しばらくテーブルに置いていたら温めになっていた、ということがよく生じている。
【０００３】
このようなとき、再び冷蔵庫に入れるのではなく、その場で急速に冷却できたり、あるいは飲みながら一服している間にも保冷する、といったことが出来れば、ビール好きの者には果報である。
【０００４】
ところで、ビール缶などを急冷する技術としては、次のような従来例がある。
１）従来例１
氷を使って比較的大容量の生ビール容器などを、できるだけ短時間に飲み頃温度に冷却することを目的とするもので、本体容器の内部に水を通し大きな氷を通さない網かごなどの保護枠を配置し、保護枠の内方を冷水室外方を氷室とし、この氷室に氷を投入するとともに容器本体内に所定量の水を投入するようにしている。保護枠内方の冷水室に缶ビールなどの液体容器を上方から支持するように配置し、上方から支持する液体容器を回転又は回動させると、本体容器を装着したり取り替えるときに氷が邪魔にならず、しかも短時間で冷却することができる（特許文献１参照）。
【０００５】
２）従来例２
生ビール容器のような大形飲料容器をペルチェ素子を用いて冷却する飲料冷却装置において、その冷却効率を向上させることを目的とし、外装体の内部に冷却容器を設け、その冷却容器にペルチェ素子を取付けてなる飲料冷却装置において、冷却容器を押出し成形により上下面ともに開放された比較的厚肉の筒状に形成し、その下面をプラスチック製の底板により閉塞した構成としたものである（特許文献２参照）。
【０００６】
以上のごとく、従来例１，２はいずれも、割合大掛かりな装置であり、可搬性がない。したがって、飲食店等で生ビール等の大形容器を予め冷却しておくことに適しているが、家庭内や屋外、飲食店のカウンター上などで、好きな場所に自在に移動しながら小形のビール缶やビール瓶等を気軽に冷やすために使えるものではない。
【０００７】
【特許文献１】特開２００２−１３８５５
【特許文献２】特開２００２−１６０８００
【考案の開示】
【考案が解決しようとする課題】
【０００８】
本考案はかかる事情に鑑み、小形の飲料容器をその場で急速冷却したり保冷することができ、かつ手軽に持ち運べるコンパクトな冷却器を提供することを目的とする。
【課題を解決するための手段】
【０００９】
第１考案の飲料容器の保冷冷却器は、上面に開口部を有し、水を入れることができる製氷容器と、該製氷容器の開口部に取付けられる蓋とからなり、前記蓋には、幅方向断面が円弧状に凹んだ凹部が蓋の長手方向に沿って形成されていることを特徴とする。
第２考案の飲料容器の保冷冷却器は、第１考案において、前記製氷容器には、該製氷容器内での氷結が底側の部分が他の部分より遅れるよう制御する形崩れ防止手段が設けられていることを特徴とする。
第３考案の飲料容器の保冷冷却器は、第１考案において、前記蓋を、前記製氷容器の開口部に取付ける取付具が設けられており、該取付具は、前記蓋の取付状態において、製氷容器内の水の氷結時の膨張に起因する蓋の上昇を許容する上昇許容手段を有していることを特徴とする。
【考案の効果】
【００１０】
第１考案によれば、製氷容器に水を入れ蓋を取付けて冷蔵庫等で製氷すると、内部の水が氷って氷ブロックができるが、その氷ブロックの上面には、蓋の形状に合わせて円弧状の凹面が出来ている。このため、缶ビールや瓶ビールなどの飲料容器の胴部をその凹面に置くと、飲料容器を冷却することができる。また、飲料容器の胴部は円筒形であり、氷ブロックの凹面も円弧状であるから、飲料容器を凹面上で回転させることができ、回転させることによって、まだ冷えてない面を次々と氷ブロックに接触させることができるので、手早く飲料容器を冷却したり保冷することができる。さらに、本考案は製氷容器と蓋だけからなるコンパクトなもので電源の必要もないから、可搬性に富み手軽に好きな場所へ持っていって使用できる。
第２考案によれば、形崩れ防止手段により、内部の氷のうち底に近い方が最後まで水の状態を保っていて、最後に氷結する。このため、氷結化による膨張も底部に近い部分で生じ、上面では生じにくいので、上面に形成される円弧状凹面は形崩れしない。よって、氷ブロックの上面にきれいな円弧状の凹面が形成される。
第３考案によれば、製氷容器内の水が氷るとき、氷の体積が膨張するが、上昇許容手段により蓋はある程度上昇するので、製氷容器から蓋が外れることはない。よって、氷ブロックの上面にきれいな円弧状の凹面が形成される。
【考案を実施するための最良の形態】
【００１１】
つぎに、本考案の実施形態を図面に基づき説明する。
図１は本考案の第１実施形態に係る保冷冷却器の分解斜視図である。同図に示す実施形態の保冷冷却器は、製氷容器１と蓋１０とから構成されている。また、蓋１０を製氷容器１に取付けるための取付具２０が用いられている。これらの部材の素材には、合成樹脂やアルミニウム等の軽金属を任意に採用してできる。
【００１２】
製氷容器１は、底２と周壁３からなり、水を入れることができる容器であって、上面に開口部を有している。その幅と長さと深さは、冷やしたい飲料容器に合せて決めればよい。周壁３の上面の縁４はやや外側に突出している。これは後述する取付具２０を引掛けるためである。
【００１３】
この製氷容器１の底２には、スカート部５が設けられている。このスカート部５は底の周囲を取り囲んだ形状であり、外部から底への冷気の進入を防止する形崩れ防止手段となっている。図示のスカート部５は、ほぼ垂直な壁で形成しているが、このような形状に限らず、下方に至るほど外向きに広がった逆皿状の形状でもよい。
また、このスカート部５は、製氷容器１の底２に対し、一体に取付けたものでもよく、別体に形成しておいて、スカート部５の上に製氷容器１を置くようにしてもよい。
【００１４】
蓋１０は、前記製氷容器１の開口部に落し込まれる寸法に作られたほぼ長方形の閉塞部材である。この蓋１０の周縁１１の内側部分には、幅方向の断面形状を円弧状に凹ませて形成されている。そして、凹んだ形状は長手方向に延びている。また、この内側部分１２の凹みの曲率半径は、冷やしたい飲料容器、例えばビール缶やビール瓶の大きさに合せればよい。
【００１５】
前記蓋１０の長手方向両端には、後述する取付具２０の係合片１３が形成されている。この係合片１３には挿入板１４と２本の弾性係止片１５が設けられている。取付具２０は、側面視で鍵形の部材であり、上部には２ヵ所の挿入孔２１が形成され、下部には、係合爪２２が形成され、それらの間が胴部２３でつながれている。
前記蓋１０の係合片１３に取付具２０の挿入孔２１を挿入すると、２本の弾性係止片１５がいったん撓んでから開いて取付具２０が抜けないようになるので、取付具２０を蓋１０に取付けることができる。また、２本の弾性係止片１５を撓めると、取付具２０を蓋１０から取り外すことができる。
上記の取付具２０は蓋１０に対し着脱式であるが、固定式のものであってもよい。要は、蓋１０を製氷容器１に取付けたり取外したりできればよいのであって、それさえ可能ならどのような構造のものを用いてもよい。
【００１６】
図２の（Ａ）図は、蓋１０に取付具２０を付けた状態を示している。この状態で、製氷容器１の縁４と係合爪２２との間には、数ｍｍ程度の距離ｄがあいている。この距離ｄが確保できるように、取付具２０胴部２３の上下寸法が長くなっており、これにより上昇許容手段が構成されている。
【００１７】
図２は保冷冷却器による製氷方法を説明している。
まず、（Ａ）図に示すように、製氷容器１に水Ｗを入れ、蓋１０を製氷容器１内に入れる。そして、取付具２０で蓋１０を製氷容器１に取付ける。このとき、取付具２０の係止爪２２と製氷容器１の縁４との間には距離ｄがあいていることは既述したとおりである。
そして冷蔵庫や冷凍庫等に入れ冷気に曝すと、内部の水が段々と凍ってきて、最後には全ての氷が氷結して氷となる。このようにして出来た氷ブロックＩＢは、その上面が横断面において円弧状に凹み、その凹みが長手方向に延びる円弧状凹面ａとなる。
【００１８】
図２の（Ｂ）図は、氷結途中の状態を示している。氷結は冷気の浸透が早い外側から氷っていく。そして、水が氷になると体積が膨張するので、その膨張は上方へも側方へも下方へも働き、製氷容器１を多少なりとも外側へ膨らむよう変形させる。しかし、本考案においては、蓋の上昇許容手段と、底のスカート部５によって、以下のとおり氷ブロック１Ｂの円弧状凹面ａの形が崩れないようになっている。
【００１９】
まず、既述のごとく、製氷容器１の底にはスカート５が設けられて冷蔵庫内の冷気が進入しにくいので、底に近い水Ｗが最後に氷結することになる。このため最後の氷結は底に近い方で生じるが、最後の氷結に基づく膨張によって製氷容器１に膨らみが生ずるとしても、底２が下向きに膨らむことになり、氷の上部には影響しない。そのため、氷ブロックＩＢの円弧状凹面ａの形状は崩れることなく、正常な形が保たれる。
【００２０】
つぎに、氷結による上方への膨張は蓋１０が上昇することで吸収できる。すなわち、取付具２０の係止爪２２が蓋１０の縁４に当るまで蓋１０の上昇が許容される。このため、氷の上面に形成されてきた円弧状凹面ａの形状が形崩れすることはない。
【００２１】
つぎに、図３に基づき保冷冷却器の使用方法を説明する。
図３において、ＩＢは氷ブロックを示している。氷ブロックＩＢは製氷容器１内に入ったまま使用される。そして、蓋１０を取り外すと、氷ブロックＩＢの円弧状凹面ａが露出することになる。
そこで、缶ビールや瓶ビールなどの飲料容器Ｃの胴部を氷ブロックＩＢの円弧状凹面ａの上に置くと、飲料容器Ｃの熱が円弧状凹面ａを介して氷ブロックＩＢに移動する（つまり冷却される）ので、飲料容器を冷却することができる。
このとき氷ブロックＩＢの円弧状凹面ａの曲率半径が冷却したい飲料容器Ｃの胴部の半径とほぼ同じであると、広い面積で接触するので、より早く冷却することができる。
【００２２】
この場合、つぎのような利点がある。
１）ビール缶等の胴部は円筒形であり、氷ブロックＩＢの凹面ａも円弧状であるから、飲料容器Ｃを凹面１０上で、矢印で示すように回転させることができ、回転させることによって、まだ冷えてない面を次々と氷ブロックＩＢの凹面ａに接触させることができるので、手早く飲料容器を冷却することができる。
２）飲料容器Ｃが冷えていくにしたがって、氷が融けて水で氷ブロックの上面が覆われるが、その場合、飲料容器Ｃはより広い面積で氷と接触するようになり氷ブロックＩＢへの熱移動が良好に行え、より早く冷却することができる。また、回転させると振る場合に比べ衝撃がほとんど無いので炭酸飲料でも炭酸が発泡しないという利点がある。
３）この保冷冷却器は冷蔵庫や冷凍庫等で製氷しておけるので、かなり廉価に冷却器を作ることができる。
【００２３】
つぎに、本考案の他の使用方法を説明する。
本考案の保冷冷却器は、図３のように、製氷容器１を直接流し台等に置いて使用してもよいが、テーブルで使う場合は保水容器を使用してもよい。
図４に示す符号３０は保水容器であり、この保水容器３０は、合成樹脂等の任意の材料で作られた長方体のケースであり、融けた氷の水が漏れたときに受け止めて、テーブル等を濡らさないようにするため使用される。
また、図４の保水容器３０には、底の内面に滑り止め部材３１が貼付されている。この滑り止め部材３１には、細かな凹凸があり表面に摩擦性のある部材などを使用できる。この滑り止め部材３１を備えた保水容器３０では、製氷容器を斜めに傾けて収容して使用することができる。
なお、この保水容器３０は、考案としては必須ではなく、保水容器３０を使用せず、保冷冷却器のみを用いてもよい。
【００２４】
保水容器３０としては、図５に示すものも使用できる。同図の保水容器３０は、底２の内面や周壁３の内面に数段の突起３２を設けたものである。
この保水容器３０を用いる場合は、製氷容器１を内部に落とし込んだ状態で、傾斜させて保持できる。このようにして斜めにした場合は、ビール缶Ｃ等の飲み口が開いていても、こぼすことなく再冷却したり保冷することができる。
【００２５】
つぎに、本考案の他の実施形態を説明する。
製氷容器１の底２への形崩れ防止手段は、スカート部５以外にも、底２に断熱性を有するシートを貼付したり、貼付しなくても冷凍時に敷き込んだりするシート、例えばウレタン板等を用いてもよい。さらに、製氷容器１の素材の組合せによって熱伝導を底側で早くしたり、あるいは厚さの調整によって底側の熱伝導を早くすることもできる。要するに、冷気の浸透を他の部分より遅らせることができれば、どのような手段を用いてもよい。
上記のように、スカート部５以外の手段で、氷結時の円弧状凹面ａの形崩れを防止できるなら、前記スカート部５を用いなくてもよく、また併せて用いてもよい。
【００２６】
取付具２０の上昇許容手段は、胴部２３を長くする代りに、挿入孔２１を形成した上端部と下端の係合爪２２との間をバネ等の弾性部材で連結してもよい。要するに、氷結時の膨張を吸収できるなら、どのような手段の採用も妨げられない。
【図面の簡単な説明】
【００２７】
【図１】本考案の第１実施形態に係る保冷冷却器の分解斜視図である。
【図２】同保冷冷却器による製氷方法の説明図である。
【図３】同保冷冷却器の使用方法説明図である。
【図４】同保冷冷却器の他の使用方法説明図である。
【図５】保水容器の他の例を示す説明図である。
【符号の説明】
【００２８】
１    製氷容器
４    縁
５    スカート
１０    蓋
１２    内側部分
１３    係合片
２０    取付具
２１    挿入孔
２２    係止爪
３０    保水容器
３１    滑り止め部材
【図１】
0003126338.tif 000003
【図２】
0003126338.tif 000004
【図３】
0003126338.tif 000005
【図４】
0003126338.tif 000006
【図５】
0003126338.tif 000007